(57)【要約】  本発明は、ケーブル型コア部；前記ケーブル型コア部の外面を囲み、所定の間隔を開けて離隔するように螺旋状に巻き取られ、外面に形成された第１多孔性コーティング層を含む正極ワイヤと、前記ケーブル型コア部の外面を囲んで巻き取られ、前記所定間隔に対応しながら前記巻き取られた正極ワイヤと交互するように螺旋状に巻き取られ、外面に形成された第２多孔性コーティング層を含む負極ワイヤと、を含むケーブル型二次電池に関する。
2019516220.tif 000002
【特許請求の範囲】
【請求項１】
ケーブル型コア部と、
前記ケーブル型コア部の外面を囲んで巻き取られ、所定の間隔に相互離隔するように螺旋状に巻き取られ、外面に形成された第１多孔性コーティング層を含む正極ワイヤと、
前記ケーブル型コア部の外面を囲んで巻き取られ、前記所定間隔に対応しながら前記巻き取られた正極ワイヤと交互するように螺旋状に巻き取られ、外面に形成された第２多孔性コーティング層を含む負極ワイヤと、
を含むケーブル型二次電池。
【請求項２】
前記ケーブル型コア部が、信号線ケーブルを含むことを特徴とする請求項１に記載のケーブル型二次電池。
【請求項３】
前記信号線ケーブルが、チューブ状の構造、スプリング状の構造、円筒状の構造または多角筒状の構造であることを特徴とする請求項２に記載のケーブル型二次電池。
【請求項４】
前記信号線ケーブルは、サウンド信号線ケーブル、光信号線ケーブル、電気信号線ケーブル及び画像信号線ケーブルからなる群より選択されるいずれか一つまたはこれらの二種以上であることを特徴とする請求項２に記載のケーブル型二次電池。
【請求項５】
前記信号線ケーブルは、ポリオレフィン、熱可塑性ポリウレタン、熱可塑性エラストマーまたはポリアクリレートでコーティングされた光ファイバケーブル；または、銅、アルミニウムまたはニッケルの金属ケーブルであることを特徴とする請求項２に記載のケーブル型二次電池。
【請求項６】
前記信号線ケーブルは、その外面を囲む電磁場干渉防止層をさらに含むことを特徴とする請求項２に記載のケーブル型二次電池。
【請求項７】
前記第１多孔性コーティング層及び前記第２多孔性コーティング層が、相互独立して、電解質層またはセパレータであることを特徴とする請求項１に記載のケーブル型二次電池。
【請求項８】
前記ケーブル型二次電池は、その外面が保護被覆でコーティングされていることを特徴とする請求項１に記載のケーブル型二次電池。
【請求項９】
前記ケーブル型二次電池が、可撓性を有することを特徴とする請求項１に記載のケーブル型二次電池。
【請求項１０】
前記ケーブル型二次電池が、リチウム二次電池であることを特徴とする請求項１から請求項９のうちいずれか一項に記載のケーブル型二次電池。
【発明の詳細な説明】
【技術分野】
【０００１】
本発明は、ケーブル型二次電池に関し、より詳しくは、新規な電極構造を有するケーブル型二次電池に関する。
【０００２】
本出願は、２０１６年１２月１４日出願の韓国特許出願第１０−２０１６−０１７０６３７号に基づく優先権を主張し、該当出願の明細書及び図面に開示された内容は、すべて本出願に援用される。
【背景技術】
【０００３】
リチウム二次電池は、エネルギー密度が高く、作動電圧が高いだけでなく優れた保存及び寿命特性を示すなど、多くの長所を有することから、パソコン、カムコーダー、携帯電話、携帯用ＣＤプレーヤー、ＰＤＡなどの各種携帯用電子機器に広く用いられている。
【０００４】
通常、リチウム二次電池は、円筒状または角形のケース、及び電解質とともに前記ケースに収容される電極組立体を含む。ここで、電極組立体は、正極、分離膜（ｓｅｐａｒａｔｏｒ）及び負極が積層されたものであって、ゼリーロール（Ｊｅｌｌｙ−Ｒｏｌｌ）形態の巻取り構造または積層構造を有する。
【０００５】
また、近来は、形態の変形が自由で多様な分野に適用可能なケーブル型二次電池が提案されている。ケーブル型二次電池は、直径に対して長さの比が非常に大きい電池であって、通常、内部電極と、前記内部電極を囲んで形成されたセパレータと、前記セパレータを囲んで形成された外部電極と、を備える。
【０００６】
しかし、このような一般的なケーブル型二次電池の形態的特性上、内部電極または外部電極にて離隔現象が発生し得るという問題点が指摘されている。
一方、前記のようなケーブル型二次電池に信号伝達機能を有する信号線を結合する場合、電源供給と信号送受信とを統合的に行い得るケーブルを具現することができる。これに係わる技術は、特開２００１−１１０２４４に開示されている。
【０００７】
特開２００１−１１０２４４は、可撓性を有し、長さが長い二次電池体を外装材内に備え、該外装材内に信号ケーブルを二次電池体に隣接するように配置して一体化した構造を有するバッテリーケーブルを開示している。
【０００８】
しかし、前記のようなケーブル構造は、ケーブル型二次電池と信号ケーブルとを同一の外装材内に集合させる作業が難しいため、組立工程がややこしくて量産が困難であり、これに対する対策が求められる。また、ケーブル型二次電池の外部に所定の間隔を開けて信号ケーブルが配置される構造から、ケーブルの全体外径が増加するという短所がある。
【発明の概要】
【発明が解決しようとする課題】
【０００９】
本発明は、上記問題点に鑑みてなされたものであり、内部電極及び外部電極から構成されたケーブル型二次電池で発生し得る電極の離隔現象を根本的に防止することができる新規な構造を有するケーブル型二次電池を提供することを目的とする。
【００１０】
また、本発明は、ケーブル型二次電池の内部に形成されたケーブル型コア部に信号線ケーブルを配置することで、ケーブル型二次電池の外径の増加を防止することができる構造を有するケーブル型二次電池を提供することを他の目的とする。
【課題を解決するための手段】
【００１１】
上記の課題を達成するため、本発明の一面によれば、ケーブル型コア部と、前記ケーブル型コア部の外面を囲んで巻き取られ、所定の間隔に相互離隔するように螺旋状に巻き取られ、外面に形成された第１多孔性コーティング層を含む正極ワイヤと、前記ケーブル型コア部の外面を囲んで巻き取られ、前記所定間隔に対応しながら前記巻き取られた正極ワイヤと交互するように螺旋状に巻き取られ、外面に形成された第２多孔性コーティング層を含む負極ワイヤと、を含むケーブル型二次電池が提供される。
【００１２】
ここで、前記ケーブル型コア部は、信号線ケーブルを含み得る。
【００１３】
ここで、前記信号線ケーブルは、チューブ状の構造、スプリング状の構造、円筒状の構造または多角筒状の構造であり得る。
【００１４】
そして、前記信号線ケーブルは、サウンド信号線ケーブル、光信号線ケーブル、電気信号線ケーブル及び画像信号線ケーブルからなる群より選択されるいずれか一つまたはこれらの二種以上であり得る。
【００１５】
そして、前記信号線ケーブルは、ポリオレフィン、熱可塑性ポリウレタン、熱可塑性エラストマーまたはポリアクリレートでコーティングされた光ファイバケーブル；または、銅、アルミニウムまたはニッケルの金属ケーブルであり得る。
【００１６】
そして、前記信号線ケーブルは、その外面を囲む電磁場干渉防止層をさらに含み得る。
【００１７】
一方、前記第１多孔性コーティング層及び前記第２多孔性コーティング層は、相互独立して、電解質層またはセパレータであり得る。
【００１８】
そして、前記ケーブル型二次電池は、その外面が保護被覆でコーティングされ得る。
【００１９】
また、前記ケーブル型二次電池は、可撓性を有し得る。
【００２０】
また、前記ケーブル型二次電池は、リチウム二次電池であり得る。
【発明の効果】
【００２１】
本発明よれば、従来のケーブル型二次電池の内部電極または外部電極で発生し得る電極の離隔現象を根本的に防止することで、ケーブル型二次電池の曲げに対する耐久性を確保することができる。
【００２２】
そして、ケーブル型二次電池の内部に形成されたケーブル型コア部に信号線ケーブルを配置することで、信号線ユニットの設置のための別途の空間が求められず、ケーブル型二次電池の全体外径の増加を防止することができる。
【００２３】
ひいては、光ファイバケーブルまたは金属ケーブルである信号線ケーブルが、ケーブル型二次電池の中心に配置されるため、信号干渉や水分などから信号線ケーブルを効果的に保護することができる。
【００２４】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００２５】
【図１】従来のケーブル型二次電池の主な構成を概略的に示す斜視図である。
【図２】本発明の一実施例によるケーブル型二次電池を構成する正極ワイヤ及び負極ワイヤを概略的に示す図である。
【図３】本発明の一実施例によるケーブル型二次電池の主な構成を概略的に示す図である。
【図４】本発明の一実施例によるケーブル型二次電池の主な構成を概略的に示す図である。
【図５】本発明の一実施例によるケーブル型コア部を概略的に示す図である。
【図６】本発明の一実施例によるケーブル型二次電池が曲げられた形状を概略的に示した図である。
【発明を実施するための形態】
【００２６】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００２７】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２８】
図１は、従来のケーブル型二次電池の主な構成を概略的に示す斜視図であり、図２は、本発明の一実施例によるケーブル型二次電池を構成する正極ワイヤ及び負極ワイヤを概略的に示す図であり、図３及び図４は、本発明の一実施例によるケーブル型二次電池１００の主な構成を概略的に示す図である。
【００２９】
図１を参照すれば、従来のケーブル型二次電池は、螺旋状に巻き取られたシート型の内部電極１と、前記内部電極１を囲んで形成されたセパレータ２と、前記セパレータ２の外面に螺旋状に巻き取られたシート型の外部電極３と、が内部から順次に設けられた形態を有する。
【００３０】
しかし、このような一般的なケーブル型二次電池の形態的特性上、巻き取られたシート型の内部電極１または巻き取られたシート型の外部電極２の巻取面で離隔現象が起こり、一電極に欠陷が発生することがあり、特に、電池に外力が加えられて曲げ現象が繰り返される場合、内部電極１及び外部電極２の曲げ半径が相違するため引張／収縮の範囲が相違し、応力の解消のために離隔する間に摩擦が発生してセパレータの損傷または電極活物質の脱離現象が起こり、これによって離隔部分で電極間の短絡が発生するという問題があった。
【００３１】
また、従来の、直線状または螺旋状の第１電極構造体の外側を螺旋状に囲む第２電極構造体を備えた電池の場合、本発明とは相違に第２電極構造体が螺旋状に囲みながら第１電極構造体と当接する部分が柔軟性を低下させ、また、繰り返して曲げる場合、その部分の摩擦によってセパレータの損傷または電極活物質の脱離によって電極構造体が損傷するという問題点がある。
【００３２】
一方、図２〜図４を参照すれば、本発明の一実施例によるケーブル型二次電池１００は、ケーブル型コア部１０と、前記ケーブル型コア部１０の外面を囲んで巻き取られ、所定の間隔に相互離隔するように螺旋状に巻き取られ、外面に形成された第１多孔性コーティング層２３を含む正極ワイヤ２０と、前記ケーブル型コア部１０の外面を囲んで巻き取られ、前記所定の間隔に対応しながら前記巻き取られた正極ワイヤ１０と交互するように螺旋状に巻き取られ、外面に形成された第２多孔性コーティング層３３を含む負極ワイヤ３０を含む。
【００３３】
即ち、前記正極ワイヤ２０及び前記負極ワイヤ３０は、仮想の同一の円筒上または多角筒上において相互交互して形成されることで、内部電極及び外部電極という概念から脱した新たな形態の電極配置構造を有することを特徴とする。これによって、従来に発生していた電極巻取面における離隔現象の発生可能性を根本的に遮断し、ケーブル型二次電池の曲げに対する耐久性を確保することができる。
【００３４】
そして、前記正極ワイヤ２０及び前記負極ワイヤ３０の巻き取られる面（巻回面）が相互同一の円周面上に配置されているため、電池が曲げられるとき、同一の曲げ半径内で動くので、垂直方向の刺激が一切発生しない。また、本発明のケーブル型二次電池１００は、正極ワイヤ２０と負極ワイヤ３０とが相互接触した状態で配列されることで、可撓性（ｆｌｅｘｉｂｌｉｔｙ）が大幅改善して電池に反復的な曲げが行われても、第１多孔性コーティング層と第２多孔性コーティング層との摩擦による多孔性コーティング層の損傷の問題がなく、前述した従来の電池構造で発生する電極間の短絡現象などが防止される。
【００３５】
ここで、前記正極ワイヤ２０は、正極活物質２２がコーティングされた導体ワイヤ２１であって、前記ケーブル型コア部１０の外面に螺旋状に巻き取られながらケーブル型二次電池１００の長手方向に延びて形成される。集電体の役割を果たす導体ワイヤには、アルミニウム、ステンレス鋼、ニッケル、銅、銀などの素材を用いることができ、このような導体ワイヤ２１の表面にコーティングされる正極活物質２２には、通常のリチウム二次電池用の正極活物質が採用され得る。
【００３６】
そして、前記負極ワイヤ３０は、負極活物質３２がコーティングされた導体ワイヤ３１であって、前記ケーブル型コア部１０の外面に螺旋状に巻き取られながらケーブル型二次電池１００の長手方向に延びて形成され、かつ前記正極ワイヤ２０と交互しながら形成される。集電体の役割を果たす導体ワイヤ３１には、前述の正極ワイヤ２０において用いられた素材を用いることができ、このような導体ワイヤ３１の表面にコーティングされる負極活物質３２には、通常のリチウム二次電池用の負極活物質を採用することができる。
【００３７】
一方、前記ケーブル型コア部１０は、ケーブル型二次電池１００の線形状を維持させ、外力による電池構造の変形を防止することができ、電極構造の崩壊または変形を防止して、ケーブル型二次電池１００の可撓性を確保することができる。
【００３８】
そして、前記第１多孔性コーティング層２３及び前記第２多孔性コーティング層３３は、正極ワイヤ２０と負極ワイヤ３０との直接的な接触を遮断する役割を果たすものであって、別の追加的なセパレータが不要である。
【００３９】
図４を参照すれば、本発明の一実施例によれば、前記ケーブル型二次電池１００は、保護被覆４０を備え、保護被覆４０は、絶縁体であって空気中の水分及び外部衝撃に対して電極を保護するためにケーブル型二次電池１００の最外面を囲んで形成される。
【００４０】
前記保護被覆４０としては、水分遮断層を含む通常の高分子樹脂を用いることができる。この際、前記水分遮断層には、水分遮断性能に優れたアルミニウムや液晶高分子などを用い得、前記高分子樹脂には、ＰＥＴ（ポリエチレンテレフタレート）、ＰＶＣ（ポリビニルクロライド）、ＨＤＰＥ（高密度ポリエチレン）またはエポキシ樹脂などを用い得る。
【００４１】
一方、前記ケーブル型コア部１０は、信号線ケーブルを含むものであり得る。
【００４２】
このような信号線ケーブルは、ケーブル型二次電池１００の内部に挿入され、ケーブル型二次電池１００の長手方向に延びる。前記信号線ケーブルは、ケーブル型二次電池１００の内部でケーブル型二次電池１００が接続する装置で発生する所定のサウンド信号、光信号、電気信号または画像信号を伝達する。
【００４３】
この際、前記信号線ケーブルは、チューブ状の構造、スプリング状の構造、円筒状の構造、または三角形、四角形、五角形、六角形などの多角形の構造であり得る。
【００４４】
そして、信号線ケーブルは、ポリオレフィン、熱可塑性ポリウレタン、熱可塑性エラストマまたはポリアクリレートなどの素材として絶縁及び保護コーティングされた光ファイバケーブル；または銅、アルミニウムまたはニッケルなどからなる金属ケーブルであり得、このような信号線ケーブルは、複数個が捩り合った形態を有するなど、多様な形態で存在し得る。
【００４５】
特に、前記信号線がサウンド信号線である場合、望ましくはＴＰＣ（Ｔｗｉｓｔ  Ｐａｉｒ  Ｃａｂｌｅ）を用いることができ、ＴＰＣの諸元は、銅を製錬するときに流入した酸素量が３００ＰＰＭであり、純度は約９９．９％と規定される。
【００４６】
そして、前記信号線がＡ／Ｖ信号線である場合には、ＯＦＣ（Ｏｘｙｇｅｎ  Ｆｒｅｅ  Ｃｏｐｐｅｒ）粒子を線状に並べたＬＣＯＦＣ（Ｌｉｎｅａｒ  Ｃｒｙｓｔａｌ  ＯＦＣ）を用いることができ、前記ＯＦＣは、「無酸素銅」を意味し、酸素包含量は１０ＰＰＭ以下であり、純度は通常９９．９９９％以上である。
【００４７】
前記信号線ケーブルは、ビデオ線、グラウンド線、マイク線、右側線、左側線などの複合ケーブルであって、相互捩り合った形態、一字形に単線化した形態であり得、サウンド信号のみを伝達する場合には、右側線と左側線とが捻り合った形態や一字形に単線化した形態などを有し得、端部は通常のイヤホン端子の形態であり得る。
【００４８】
このような信号線ケーブルは、ケーブル型二次電池１００の内部で巻芯の役割及び信号伝達の役割を果たし、信号線ユニットの設置のための別の空間が不要となり、ケーブル型二次電池１００の全体外径の増加を防止することができ、ひいては、光ファイバケーブルまたは金属ケーブルである信号線ケーブルがケーブル型二次電池１００の中心に配置されるので、信号干渉や水分などから信号線ケーブルを効果的に保護することができる。
【００４９】
図５は、本発明の一実施例によるケーブル型コア部を概略的に示す図である。図５を参照すれば、本願のケーブル型コア部１０が信号線ケーブル１１を含む形態で、前記信号線ケーブル１１は、前記正極ワイヤ２０及び／または前記負極ワイヤ３０との電気的接続及び電磁場の干渉防止のために、その外面を囲む電磁場干渉防止層１２、１３をさらに含み得る。
【００５０】
ここで、前記電磁場干渉防止層は、不導体電磁場干渉防止層１２及び伝導体電磁場干渉防止層１３からなり得、このような電磁場干渉防止層を備えていることで、電極組立体からなる電源供給部における電磁場の発生による干渉を防止することができ、信号伝達装置の信号伝達過程における干渉によるノイズの発生を防止することができる。
【００５１】
前記電磁場干渉防止層は、電磁場干渉防止が可能な構成であればよく、その構成は特に限定されない。例えば、二層の電磁場干渉防止層であり得る。この際、信号線ケーブルと直接接触する電磁場干渉防止層は不導体であり、その上に形成された電磁場干渉防止層は伝導体であることが望ましい。前記不導体電磁場干渉防止層１２は、信号線ケーブル１１と伝導体電磁場干渉防止層１３との直接的な接触を防止し、伝導体電磁場干渉防止層１３は、電源供給部で発生する電磁場を遮断して信号伝達に干渉を防止することができる。
【００５２】
このような不導体電磁場干渉防止層１２は、原則的に電気を通さない材料であればよく、ケーブル型二次電池の可撓性を低下させない柔軟性に優れた高分子材料を用いることが望ましい。このような高分子材料には、ＰＥＴ、ＰＶＣ、ＨＤＰＥまたはエポキシ樹脂などを用い得る。
【００５３】
前記伝導体電磁場干渉防止層１３には、原則的に伝導性に優れた金属を用い得るが、このような金属を用いれば、ケーブル型二次電池の可撓性を低下させる問題が発生し得る。したがって、このような可撓性の低下を防止するために、本発明の伝導体電磁場干渉防止層は、金属ペーストまたはカーボンペーストから形成されたものを用いることが望ましい。
【００５４】
一方、前記第１多孔性コーティング層２３及び前記第２多孔性コーティング層３３は、相互独立して、電解質層またはセパレータであり得る。
【００５５】
このようなイオンの通路になる電解質層には、ＰＥＯ、ＰＶｄＦ、ＰＶｄＦ−ＨＦＰ、ＰＭＭＡ、ＰＡＮまたはＰＶＡｃを用いたゲル状高分子電解質；またはＰＥＯ、ポリプロピレンオキシド（ｐｏｌｙｐｒｏｐｙｌｅｎｅ  ｏｘｉｄｅ，ＰＰＯ）、ポリエチレンイミン（ｐｏｌｙｅｔｈｙｌｅｎｅ  ｉｍｉｎｅ，ＰＥＩ）、ポリエチレンスルフィド（ｐｏｌｙｅｔｈｙｌｅｎｅ  ｓｕｌｐｈｉｄｅ，ＰＥＳ）またはポリビニルアセテート（ｐｏｌｙｖｉｎｙｌ  ａｃｅｔａｔｅ，ＰＶＡｃ）を用いた固体電解質；などを用い得る。固体電解質のマトリクス（ｍａｔｒｉｘ）は、高分子またはセラミックガラスを基本骨格とすることが望ましい。一般的な高分子電解質の場合は、イオン伝導度が満たされても、反応速度面でイオンが非常に遅く移動し得るため、固体の場合よりもイオンの移動が容易なゲル状の高分子電解質を用いることが望ましい。ゲル状の高分子電解質は、機械的特性が優秀でないため、これを補うために支持体を含み得、このような支持体としては、気孔構造の支持体または架橋高分子を用い得る。本発明の電解質層は、分離膜の役割が可能であるため、別の分離膜を用いなくてもよい。
【００５６】
本発明の一実施例によれば、前記電解質層は、リチウム塩をさらに含み得る。リチウム塩は、イオン伝導度及び反応速度を向上させることができ、これらの非制限的な例には、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、ＣＦ３ＳＯ３Ｌｉ、（ＣＦ３ＳＯ２）２ＮＬｉ、クロロボランリチウム、低級脂肪族カルボン酸リチウム及びテトラフェニルホウ酸リチウムなどを用い得る。
【００５７】
前記セパレータとしては、その種類を限定することではないが、エチレン単独重合体、プロピレン単独重合体、エチレン−ブテン共重合体、エチレン−ヘキセン共重合体及びエチレン−メタクリレート共重合体からなる群より選択されたポリオレフィン系高分子で製造した多孔性高分子基材；ポリエステル、ポリアセタール、ポリアミド、ポリカーボネート、ポリイミド、ポリエーテルエーテルケトン、ポリエーテルスルホン、ポリフェニレンオキシド、ポリフェニレンスルフィド、ポリウレタン及びポリエチレンナフタレートからなる群より選択された高分子で製造した多孔性高分子基材；無機物粒子及びバインダー高分子の混合物から形成された多孔性基材；または前記多孔性高分子基材の少なくとも一面に無機物粒子及びバインダー高分子の混合物から形成された多孔性コーティング層を備えたセパレータ；液状のポリオレフィンに発泡剤を混ぜて電極ワイヤにコーティングした後、発泡現象によって発泡したセパレータなどを用いることができる。
【００５８】
この際、無機物粒子及びバインダー高分子の混合物から形成された前記多孔性コーティング層においては、無機物粒子は充填されて相互接触した状態で前記バインダー高分子によって相互結着し、これにより無機物粒子の間にインタースティシャルボリューム（Ｉｎｔｅｒｓｔｉｔｉａｌ  Ｖｏｌｕｍｅ）が形成され、前記無機物粒子間のインタースティシャルボリュームは空間となり、気孔を形成する。
【００５９】
即ち、バインダー高分子は、無機物粒子が相互結着した状態を維持するようにこれらを相互付着、例えば、バインダー高分子が無機物粒子同士を連結及び固定している。また、前記多孔性コーティング層の気孔は、無機物粒子間のインタースティシャルボリュームが空間になることで形成された気孔であり、これは無機物粒子による充填構造（ｃｌｏｓｅｄ  ｐａｃｋｅｄ  ｏｒ  ｄｅｎｓｅｌｙ  ｐａｃｋｅｄ）において実質的に面接触する無機物粒子によって限定される空間である。このような多孔性複合膜の気孔を介して、電池を作動させるのに必須なリチウムイオンが移動する経路を提供することができる。
【００６０】
一方、前記ケーブル型二次電池１００はいかなる二次電池であってもよいが、図６に示したように、自由に曲げられるフレキシブルなケーブル型リチウム二次電池であることが望ましい。
【００６１】
このようなケーブル型二次電池は、正極ワイヤ及び負極ワイヤに接続する所定の電子装置に電源を供給する用途として用いられる。
【００６２】
そして、前述の信号線ケーブルは、前記電子装置で発生する光信号、サウンド信号、電気信号または画像信号を、ケーブル型二次電池の長手方向に沿って対象機器へ伝送する。
【００６３】
したがって、本発明を適用する場合、実質的に一つのケーブルを用いて電源供給機能と信号の送受信機能とを共に行うことができる。このような信号線複合ケーブル型二次電池は、光通信網と二次電池とが結合したＵＰＳなどの電力貯蔵システムを含め、イヤホンのように携帯用電子装置に接続するケーブル型の器機などに有用に適用することができる。
【００６４】
なお、本明細書と図面に開示された本発明の実施例は、理解を助けるために特定例を提示したことに過ぎず、本発明の範囲を限定することではない。ここに開示された実試例の外にも本発明の技術的思想に基づいた他の変形例が実施可能であることは、本発明が属する技術分野における通常の知識を持つ者にとって自明である。
【符号の説明】
【００６５】
１    内部電極
２    セパレータ
３    外部電極
１０    ケーブル型コア部
１１    信号線ケーブル
１２    不導体電磁場干渉防止層
１３    伝導体電磁場干渉防止層
２０    正極ワイヤ
２１    正極導体ワイヤ
２２    負極活物質
２３    第１多孔性コーティング層
３０    負極ワイヤ
３１    負極導体ワイヤ
３２    負極活物質
３３    第２多孔性コーティング層
４０    保護被覆
１００    ケーブル型二次電池
【図１】
2019516220.tif 000003
【図２】
2019516220.tif 000004
【図３】
2019516220.tif 000005
【図４】
2019516220.tif 000006
【図５】
2019516220.tif 000007
【図６】
2019516220.tif 000008
【国際調査報告】
2019516220.tif 000009
2019516220.tif 000010
2019516220.tif 000011
2019516220.tif 000012
2019516220.tif 000013
2019516220.tif 000014